(57)【要約】面板を採用する小型のコア・エフェクトヤーンを製造する紡績装置であって、面板上の一方の領域にコアヤーン用ゴデットと、エフェクトヤーン用ゴデットが取り付けられ、別の一対のゴデットが面板上の他方の領域に取り付けられている。面板上の他方の領域に取り付けられた一対のゴデットの間に、ループ・ブレーカが面板上に取り付けられ、コアヤーン用ゴデットおよびエフェクトヤーン用ゴデットと、別のゴデットの間に取り付けられたエアジェット内で形成されたヤーンのループを解消する。
2004511669.tif 000002
【特許請求の範囲】
【請求項１】
スパン状紡績糸を提供する紡績装置であって、
エフェクトヤーン供給部と、
コアヤーン供給部と、
エフェクトヤーン供給部およびコアヤーン供給部からの処理されたヤーンのための巻上ロールと、
面板と、
面板上に取り付けられたコア・エフェクト紡績エアジェットと、
離間して面板上に取り付けられた、加熱された一対のゴデットであって、それぞれ異なる速度で駆動され、コアヤーン供給部からのヤーンを受容し、引っ張られたコアヤーンを紡績エアジェットに供給する一対のゴデットと、
離間して面板上に取り付けられた、加熱された第２の一対のゴデットであって、それぞれ異なる速度で駆動され、引っ張られたエフェクトヤーンを紡績エアジェットに供給する一対のゴデットと、
紡績エアジェットにより紡績された、ループを有する混合コア・エフェクトヤーンを受容する、面板上に取り付けられた第３の一対のゴデットと、
巻上ロールに供給されるコア・エフェクトヤーンのループを解消するために、面板上の第３の一対のゴデットの間に取り付けられたループ・ブレーカとを備えたことを特徴とする紡績装置。
【請求項２】
請求項１に記載の紡績装置であって、
紡績エアジェットは、ジェットボックス内に取り付けられ、
ジェットボックスは、紡績エアジェットに供給されるコアヤーンを加湿するためのヤーン加湿装置を有することを特徴とする紡績装置。
【請求項３】
請求項２に記載の紡績装置であって、
コアヤーンがジェットボックスの加湿装置の上方へ搬送できるように、ジェットボックスに対するコアヤーンの入口は、ジェットボックスの側部にあることを特徴とする紡績装置。
【請求項４】
変速可能に駆動されるゴデットが取り付けられたヤーン紡績装置のための面板であって、
面板上の中央に配置して取り付けられたエアジェットヤーン紡績装置と、
面板の下部に配置された、加熱され、駆動される第１の一対のゴデットと、
エアジェットヤーン紡績装置の下方に配置された、加熱され、駆動される第２の一対のゴデットと、
面板上のエアジェットヤーン紡績装置の上方に配置された、加熱され、駆動される第３の一対のゴデットと、
面板上の第３の一対のゴデットの間に配置された、第３のゴデットの一方から他方へ通過するヤーンのループを解消するヤーン・ループ・ブレーカとを備えたことを特徴とする面板。
【請求項５】
請求項４に記載のエアジェットヤーン紡績装置であって、
第１および第２の一対のゴデットからヤーンを受容するために、紡績装置の側部に開口部を有することを特徴とする紡績装置。
【発明の詳細な説明】
【０００１】
（技術分野）
本発明は、スパン状の外観を有する合成繊維糸を製造するために、コアヤーン処理装置およびエフェクトヤーン処理装置が取り付けられた面板を採用したヤーン紡績装置に関する。
【０００２】
本発明の目的は、紡績装置の面板上にヤーン処理装置を提供することにあり、このヤーン処理装置は、同様に紡績装置の面板上に取り付けられたブレーカ装置にコアヤーンおよびエフェクトヤーンを供給する前に、コアヤーンおよびエフェクトヤーンを引っ張って、混合する。
【０００３】
（好適な実施形態の詳細な説明）
ここで図面を参照すると、面板１０上に取り付けられたスパン状合成繊維糸１２を製造するためのシステム全体が図示されている。原糸は、好適には、パッケージ１３および１４からの２５５／６８連続フィラメントポリエステルヤーンであって、これらのヤーン（糸）は、ジェットボックス１８内の適当なエアジェット１６で結合され、この内部には、ヤーンパッケージ１４からのコアヤーン（芯糸）を湿らせるための湿気供給器２０が配置されている。混合され、紡績されたコア・エフェクトヤーン２２は、５５０ｍ／分で駆動されるゴデット２４によりジェットボックス１８から引き出され、フィラメント・ループ・ブレーカ２６を介して、５７８ｍ／分で駆動されるゴデット２８に搬送される。スパン状合成繊維糸１２がゴデット２８から巻取ロールまたはボビン３８に搬送される。
【０００４】
コアヤーンおよびエフェクトヤーン（効果糸）が、それぞれパッケージ１３、１４からジェットボックス１８に供給される前に、これらのヤーンは、加熱された駆動ゴデットの間で引っ張られる。エフェクトヤーンは、それぞれ９０℃および１７０℃に加熱されたゴデット３２と３４の間を通過し、ゴデット３２が４２０ｍ／分で、ゴデット３４が６９３ｍ／分で駆動されるため、ゴデットの間において引っ張られる。同様に、供給パッケージ１４からのコアヤーンは、それぞれ９０℃および１７０℃の温度に加熱され、３６３ｍ／分および５９９ｍ／分の速度で駆動されるゴデット３６および３８の間で引っ張られる。ゴデット３６および３８は、面板上に回転可能に取り付けられ、コアヤーンをジェットボックス１８の側部へ案内して、ヤーン加湿器２０からの水がゴデットおよび案内されるヤーンの上に落ちないようにしていることに留意する必要がある。
【０００５】
紡績されたヤーン２２のループのためのループ・ブレーカは、図２に示すように、面板１０上に取り付けられ、基本的には、米国特許第６，０１２，２０６号に図示され開示されたループ・ブレーカである。先に大まか説明したように、ループ・ブレーカ２６は、ジェットボックス１８で形成された紡績ヤーンのループを解消するのに役立ち、巻取部３０に搬送される紡績済のスパン状合成繊維糸１２を供給する。本発明の好適な態様によるヤーン１０は、約３３６デニールの１３６フィラメントである。
【０００６】
ジェットボックス１８と協働する、ここに開示された変速可能な駆動部品のゴデット装置によれば、ループ・ブレーカを面板上に取り付けて、クリーニングするためにループ・ブレーカに対して容易にアクセスできるとともに、簡便に設置でき、さらに処理速度を上げることができる。ゴデット３６および３８、さらにとりわけゴデット３２および３４を、このように垂直方向に配置したことにより、ジェットボックスの側部にアクセスでき、ヤーン取付部からの湿気が漏れたり、装置部品やヤーンの上に落下しない。
【０００７】
好適な実施形態を具体的に説明したが、本発明の範疇および精神から逸脱することなく、変形し得ることが理解され、本発明は、クレーム範囲にのみ限定されることが好ましい。
【０００８】
添付図面を参照しながら、本発明を開示する明細書を読むにしたがい、本発明の他の目的および利点がすぐさま明らかとなる。
【図面の簡単な説明】
【図１】図１は、スパン状合成繊維糸を製造するプロセスを示す概略図である。
【図２】図２は、ヤーン紡績装置の面板の正面図であって、ヤーン処理部品の位置関係を示す。
【符号の説明】
１０　面板、１２　スパン状合成繊維糸、１３，１４　パッケージ、１６　エアジェット、１８　ジェットボックス、２０　湿気供給器、２２　エフェクトヤーン、２４，２８，３２，３４　ゴデット、２６　フィラメント・ループ・ブレーカ。
【国際公開パンフレット】
2004511669.tif 000003
2004511669.tif 000004
2004511669.tif 000005
2004511669.tif 000006
2004511669.tif 000007
2004511669.tif 000008
2004511669.tif 000009
【国際公開パンフレット（コレクトバージョン）】
2004511669.tif 000010
2004511669.tif 000011
【国際調査報告】
2004511669.tif 000012
2004511669.tif 000013